【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】
厚み方向に配列した板状の複数のフィン及びそれらのフィンの下端を連結するベースを有するヒートシンクと、回転に伴ってヒートシンクに風を送る羽根及び羽根を回転可能に保持するハウジングを有するファンとを備える冷却装置において、
前記ファンは、ハウジングにおけるフィンの面方向の両端より下方に向かって延びる一対又は複数対の脚を有し、
前記ヒートシンクは、隣り合う複数のフィンにわたって前記各脚が掛かり合う部分を有することを特徴とする冷却装置。
【請求項２】
前記脚の下端内側にフィンの面方向に突出したフックが形成され、前記掛かり合い部分が、そのフックと引っ掛かるように隣り合うフィンの両側に形成された段差である請求項１に記載の冷却装置。
【請求項３】
ファンに組み合わされて用いられるヒートシンクであり、
厚み方向に配列した板状の複数のフィン及びそれらのフィンの下端を連結するベースを有するヒートシンクにおいて、
前記ファンに固定するために、前記ファンのフックが前記フィンに掛かり合う部位として、前記複数のフィンのうち隣り合う二以上のフィンの面方向の両端に段差が形成されていることを特徴とするヒートシンク。
【手続補正２】
【補正対象書類名】明細書
【補正対象項目名】０００５
【補正方法】変更
【補正の内容】
【０００５】
【課題を解決するための手段】
その課題を解決するために、この発明の冷却装置は、
厚み方向に配列した板状の複数のフィン及びそれらのフィンの下端を連結するベースを有するヒートシンクと、回転に伴ってヒートシンクに風を送る羽根及び羽根を回転可能に保持するハウジングを有するファンとを備える冷却装置において、
前記ファンは、ハウジングにおけるフィンの面方向の両端より下方に向かって延びる一対または複数対の脚を有し、
前記ヒートシンクは、隣り合う複数のフィンにわたって前記各脚が掛かり合う部分を有することを特徴とする。
【手続補正３】
【補正対象書類名】明細書
【補正対象項目名】０００７
【補正方法】変更
【補正の内容】
【０００７】
この発明の好ましい更にもう一つの冷却装置は、前記脚の下端内側にフィンの面方向に突出したフックが形成され、前記掛かり合い部分を、そのフックと引っ掛かるように隣り合うフィンの両側に形成された段差とするものである。この構成により、両脚を僅かに拡がる方向に弾性変形させてフィンを両側から挟むだけでフックが両脚の弾性復元力によって段差に容易に引っ掛かるからである。
【手続補正４】
【補正対象書類名】明細書
【補正対象項目名】０００８
【補正方法】変更
【補正の内容】
【０００８】
よって、この発明の冷却装置に適切なヒートシンクは、ファンに組み合わされて用いられるヒートシンクであり、厚み方向に配列した板状の複数のフィン及びそれらのフィンの下端を連結するベースを有するヒートシンクにおいて、
前記ファンに固定するために、前記ファンのフックが前記フィンに掛かり合う部位として、前記複数のフィンのうち隣り合う二以上のフィンの面方向の両端に段差が形成されていることを特徴とするヒートシンク。
【手続補正５】
【補正対象書類名】明細書
【補正対象項目名】０００９
【補正方法】変更
【補正の内容】
【０００９】
【発明の実施の形態】
―参考例１―
この発明の第一の参考例を図面と共に説明する。この第一参考例は後述する本発明の実施形態の理解を助けるものである。図１は第一参考例にかかる冷却装置を示す縦断面図、図２はその冷却装置のファンとヒートシンクを分離したところを示す斜視図である。
冷却装置１は、ヒートシンク２及びその上に設けられたファン３からなる。ヒートシンク２は、図２に示すように多数のほぼ方形板状のフィン２１の群及びフィン２１同士の下端を互いに連結する平面視方形のベース２２からなり、例えばアルミニウムを押し出し成形することによって一体的に製造されたものである。フィン２１の厚さは、図８で示した従来のヒートシンクよりも薄く、フィン２１の枚数も多い。それにも関わらず、ヒートシンク２全体の外形寸法は従来と同様である。フィン２１の群のうち両端のフィン２１及びそれらに隣り合うフィン２１には各々面方向の両端付近に円形の貫通孔２３が形成され、それらの各一枚内側の２枚のフィン２１にも貫通孔２３と同心の第二の貫通孔２４が形成されている（つまり、隣り合う複数のフィン２１にわたって貫通孔２３，２４が形成されている。）。これらの貫通孔２３、２４は、上記押し出し成形後にドリル等にて開けられる。貫通孔２３、２４の形状は、後述するフックとの掛かり合いができるものであれば、円形に限るものではない。
【手続補正６】
【補正対象書類名】明細書
【補正対象項目名】００１５
【補正方法】変更
【補正の内容】
【００１５】
−参考例２−
この発明の第二の参考例を図面と共に説明する。この第二参考例は、第一参考例と共に後述する本発明の実施形態の理解を助けるものである。図４は第二参考例にかかる冷却装置を示す縦断面図、図５はその冷却装置のファンとヒートシンクを分離したところを示す斜視図である。
この第二参考例の冷却装置１は、ヒートシンク２においてはフィン２１の形状を除いて第一参考例と同形同質であり、またファン３においてはハウジング８、特に脚８ｄ及びフック１１の形状を除いて第一参考例と同形同質であるので、同一の構成要素については同じ符号で図示するに止め、説明を省略する。ヒートシンク２の成形方法も第一参考例と同様であってよい。以下、第一参考例との相違点を詳述する。
【手続補正７】
【補正対象書類名】明細書
【補正対象項目名】００１６
【補正方法】変更
【補正の内容】
【００１６】
先ず、この第二参考例ではヒートシンク２とファン３との位置関係が異なり、ヒートシンク２はファン３に対して実施形態１よりも平面視で９０度回転した配置をとる。即ち、第一参考例ではフィン２１と脚８ｄとが平行であったのに対して、この第二参考例では直交している。
ハウジング８の四隅の脚８ｄは、長い板状でに形成され一つの脚８ｄの幅寸法は、隣り合う二枚のフィン２１の肉厚及び隣り合うフィン２１間の間隔を合わせた大きさにほぼ同じである。各脚８ｄの下端にはフィン２１の面方向即ち脚８ｄの厚み方向に外向きに突出したフック３１が形成され、中程には同じく外向きに突出したストッパー４１が形成されている。フック３１は、脚８ｄの主面に対して直角もしくは僅かに傾斜した上面３１ａと、先端が上面３１ａに連なり脚８ｄの主面に対して傾斜した下面３１ｂとで形成された爪状を有する。
【手続補正８】
【補正対象書類名】明細書
【補正対象項目名】００１７
【補正方法】変更
【補正の内容】
【００１７】
一方、フィン２１には第一参考例と異なり貫通孔は形成されておらず、代わってフィン２１の面方向両端付近の上端より鉛直下方に切り込まれた切り欠き２５を有する。切り欠き２５は全てのフィン２１に二つずつ形成され、各切り欠き２５は、脚８ｄのストッパー４１以下の形状と相補うよう深さを有し底において爪状に拡がり、面方向幅は脚８ｄの先端の爪状部分の肉厚より幾分小さくなっている。一枚のフィン２１に形成された二つの切り欠き２５間の面方向間隔は、フィン２１における面方向に位置する二個の脚８ｄ間の面方向間隔よりも幾分小さい。
ファン３をヒートシンク２に固定するには、４本の脚８ｄを同時に切り欠き２５の上方から挿入する（或いは、隣り合う二個の脚８ｄを挿入後、残りの二個を挿入してもよい。）。このとき各脚８ｄは、フィン２１の面方向に対して互いに接近するように弾性変形させて、対応する切り欠き２５の開口から挿入する。挿入途中は、その変形を維持して、フック３１先端は切り欠き２５の側面に密接し上方向即ち上面３１ａが脚８ｄの外側主面に接近する方向に弾性変形する。、そして、脚８ｄの下端が切り欠き２５の底に達すると、脚８ｄ及びフック３１が弾性復元力により定形に復帰し、脚８ｄの外側主面が切り欠き２５の側面に密接しつつフック３１の爪状部が切り欠き２５の拡がり部分２５ａにはまる。この一個の脚８ｄは、隣り合う二枚のフィン２１に対して掛かり合い、この掛かり合いが四隅に形成されヒートシンク２とファン３は固定されている。
【手続補正９】
【補正対象書類名】明細書
【補正対象項目名】００１９
【補正方法】変更
【補正の内容】
【００１９】
−実施形態−
この発明の一実施形態を図面と共に説明する。図６はこの実施形態にかかる冷却装置を示す縦断面図、図７はその冷却装置のファンとヒートシンクを分離したところを示す斜視図である。
この実施形態の冷却装置１も、ヒートシンク２においてはフィン２１の形状を除いて第一参考例と同形同質であり、またファン３においてはハウジング８、特に脚８ｄ及びフック１１の形状を除いて第一参考例と同形同質であるので、同一の構成要素については同じ符号で図示するに止め、説明を省略する。ヒートシンク２の成形方法も第一参考例と同様であってよい。以下、第一参考例との相違点を詳述する。
【手続補正１０】
【補正対象書類名】明細書
【補正対象項目名】００２０
【補正方法】変更
【補正の内容】
【００２０】
先ず、ヒートシンク２とファン３との位置関係については第二参考例と同じく、ヒートシンク２はファン３に対して第一参考例よりも平面視で９０度回転した配置をとり、フィン２１と脚８ｄとが直交している。
そして、各脚８ｄの下端にはフィン２１の面方向即ち脚８ｄの厚み方向に内向きに突出したフック５１が形成され、中程には同じく内向きに突出したストッパー６１が形成されている。即ち、フック５１及びストッパー６１の突出方向が第二参考例と逆である。フック５１は、脚８ｄの主面に対して直角をなす上面５１ａと、先端が上面５１ａに連なり脚８ｄの主面に対して傾斜した下面５１ｂとで形成された爪状を有する。
【手続補正１１】
【補正対象書類名】明細書
【補正対象項目名】００２１
【補正方法】変更
【補正の内容】
【００２１】
一方、フィン２１の面方向幅は、フィン上半部では対向する脚８ｄ間の間隔より幾分大きく、フィン下半部では小さい。従って、この上半部と下半部との幅違いによってフィン２１の面方向両端に段差２６が形成され、この段差２６の長さはフック５１の上面５１ａの突出長さにほぼ同じである。
ファン３をヒートシンク２に固定するには、フィン２１の面方向に対向する２本の脚８ｄの間隔が拡がる方向に枠８ｃ及び脚８ｄを弾性変形させて、そのまま降下させてそれらの脚８ｄの間にフィン２１の群を配置させる。フック５１が段差２６を通過した状態で枠８ｃ及び脚８ｄに加える力を解除すると、脚８ｄが弾性復元力により定位置に復帰し、フィン上半部における下半部よりはみ出た部分がフック５１とストッパー６１との間にはまる。即ちフック５１の上面５１ａが段差２６に当たり、ストッパー６１がフィン２１の上端に当たる。脚８ｄの幅がフィン２１の間隔よりも大きいことから、１本の脚８ｄのフック５１とストッパー６１との間に２枚のフィン２１の上半部がはまる。
こうしてファン３は、各脚８ｄに形成された合計４つのフック５１と８つの段差２６との掛かり合いによって上方への抜けが防止される。また、ストッパー６１がフィン２１の上端に当たることによって間隙１２が設計通りに保たれる。この場合も１つのストッパー６１が２枚のフィン２１に当たっているので、フィン２１が薄くてもファン３の重量で撓むことはない。
以上、本発明の実施形態について説明したが、本発明の範囲はこれに限定されるものではなく種々の変形が可能である。例えば、上記実施形態の何れも１本の脚８ｄは２枚のフィン２１に掛かり合う構成としたが、３枚以上に掛かり合うようにしてもよい。また、ハウジング８の枠８ｃに形成された４本の脚８ｄは全て同形であるが、必ずしも同形である必要はない。なお、上記実施形態の説明で引用した図面は、実施形態の構成をわかりやすくするために略図化しつつ幾分誇張して示している。
【手続補正１２】
【補正対象書類名】明細書
【補正対象項目名】図面の簡単な説明
【補正方法】変更
【補正の内容】
【図面の簡単な説明】
【図１】第一参考例の冷却装置を示す縦断面図である。
【図２】上記冷却装置のファンとヒートシンクを分離したところを示す斜視図である。
【図３】上記冷却装置に用いる他のヒートシンクの要部断面図である。
【図４】第二参考例の冷却装置を示す縦断面図である。
【図５】上記冷却装置のファンとヒートシンクを分離したところを示す斜視図である。
【図６】本発明の実施形態の冷却装置を示す縦断面図である。
【図７】上記冷却装置のファンとヒートシンクを分離したところを示す斜視図である。
【図８】従来の冷却装置を示す縦断面図である。